(57)【要約】      （修正有）【課題】切手を貼付して投函された葉書のような外観を呈し、名刺を受け取る者に強烈な印象を与えると共に、後日名刺を整理する際にも判別しやすい名刺を提供する。【解決手段】名刺１は、表面の略中央の役職表示部２には本人の役職が記載され、表面左上の似顔絵表示部４には本人の似顔絵が記載され、表面右上の郵便番号表示部７には本人の勤務先等の住所地の郵便番号が記載される。【選択図】図１
0003187968.tif 000002
【実用新案登録請求の範囲】
【請求項１】
切手を貼付して投函される葉書の外観を呈する名刺であって、表面の略中央の役職表示部には本人の役職が記載され、表面左上の似顔絵表示部には本人の似顔絵が記載され、表面右上の郵便番号表示部には本人の勤務先等の住所地の郵便番号が記載されることを特徴とする名刺。
【請求項２】
前記似顔絵表示部の外周縁には、目打ち（ミシン目）の痕を模したギザギザ模様が施されている、請求項１に記載の名刺。
【請求項３】
前記似顔絵表示部の下部には、資格表示部がさらに設けられ、資格の名称等が記載される、請求項１又は２に記載の名刺。
【考案の詳細な説明】
【技術分野】
【０００１】
本考案は、切手を貼付して投函された葉書のような外観を呈する名刺に関する。
【背景技術】
【０００２】
従来の名刺は、名刺の表面中央に自己の姓名、役職等が記載され、又その左側に住所、電話番号等が記載されているものが一般的である。
【０００３】
しかしながら、ビジネスにおいて使用される名刺の数量は極めて大量になる傾向があり、同時に複数の名刺をもらうと全く印象に残らないという欠点がある。
【０００４】
そこで、このような欠点を解消するために、名刺の素材を紙以外のプラスチックや金族などを使用して少しでも相手に印象を残そうとする工夫がなされている。また以下のように名刺の表の記載事項を工夫した名刺も提案されている（例えば、特許文献１参照）。
【０００５】
特許文献１に開示された名刺は、名刺の表を郵便葉書の表と相似形に図案化し、郵便葉書の受取人記載欄に該当する領域を空欄とし、郵便葉書の差出人記載欄に該当する領域に姓名、住所、身分などの名刺本来に記載される事項を記載した構成とされている。
【先行技術文献】
【特許文献】
【０００６】
【特許文献１】実開平２−１４２０７２号公報
【考案の概要】
【考案が解決しようとする課題】
【０００７】
しかし、特許文献１で提案されている名刺では、名刺の中央の空欄となっている郵便葉書の受取人記載欄に該当する領域に、名刺を受け取る者の姓名や身分などを記載する構成となっており、面識のない複数の相手に名刺を渡す場合には、空欄のまま渡すことになるため、一見して誰の名刺か分からないという欠点がある、また後日、名刺の整理を行う際に、葉書の差出人記載欄に該当する領域に姓名、住所、身分などの名刺本来に記載される事項を記載した構成であるため、文字が小さくなり会社名や個人の名前などが見づらいという問題点も有している。
【０００８】
本考案は、従来技術における前記課題を解決するためになされたものであり、切手を貼付して投函された葉書のような外観を呈し、名刺を受け取る者に強烈な印象を与えると共に、後日名刺を整理する際にも判別し易い名刺を提供することを目的とする。
【課題を解決するための手段】
【０００９】
前記目的を達成するため、本考案に係る名刺は、
（１）切手を貼付して投函される葉書の外観を呈する名刺であって、表面の略中央の役職表示部には本人の役職が記載され、表面左上の似顔絵表示部には本人の似顔絵が記載され、表面右上の郵便番号表示部には本人の勤務先等の住所地の郵便番号が記載されることを特徴とする。
【００１０】
本考案の名刺の（１）の構成によれば、表面の略中央に役職名、本人の名前などが記載され、表面左上の似顔絵表示部には本人の似顔絵が記載され、さらに表面右上の郵便番号表示部には本人の勤務先等の住所地の郵便番号が記載され、この郵便番号の下には住所や勤務先などを表示することができる。このように、本考案の名刺の（１）の構成によれば、上記のような葉書の外観を呈する構成で、名刺を受け取る者に極めて強い印象を与えることができる。
【００１１】
前記本考案の名刺の（１）の構成においては、以下の（２）〜（３）のような構成にすることが好ましい。
【００１２】
（２）前記似顔絵表示部の外周縁には、目打ち（ミシン目）の痕を模したギザギザ模様が施されている。
【００１３】
上記（２）の好ましい構成によれば、名刺を提示した本人の似顔絵が名刺の表面左上に記載されており、しかもこの似顔絵の外周縁に目打ち（ミシン目）の痕を模したギザギザ模様が施された構成であるので、一見して切手を貼付して投函された葉書の外観の印象を受けると共に、本人の似顔絵が記載されているため、後日にこの名刺を見た際にも誰の名刺であるか判別が容易となる。
【００１４】
（３）前記似顔絵表示部の下部には、資格表示部がさらに設けられ、資格の名称等が記載される。
【００１５】
上記（３）の好ましい構成によれば、似顔絵表示部の下部に資格表示部が設けられ、本人の資格の名称等が記載されており、本人の経歴などを一覧することができる。
【考案の効果】
【００１６】
本考案によれば、切手を貼付して投函された葉書のような外観を呈し、名刺を受け取る者に強烈な印象を与えると共に、後日名刺を整理する際にも判別し易い名刺を提供することができる。
【図面の簡単な説明】
【００１７】
【図１】図１は、本考案の一実施の形態における名刺の構成を示す表面図である。
【考案を実施するための形態】
【００１８】
以下、好適な実施の形態を用いて本考案をさらに具体的に説明する。但し、下記の実施の形態は本考案を具現化した例に過ぎず、本考案はこれに限定されるものではない。
【００１９】
［名刺の構成］
本考案の一実施の形態における名刺の構成について、図１を参照しながら説明する。
【００２０】
図１は、本考案の一実施の形態における名刺の構成を示す表面図である。
【００２１】
図１に示すように、本実施の形態の名刺１は、通常の名刺と同じ大きさ（例えば、縦９１ミリ、横５５ミリ）であり、材質は紙が使用されている。
【００２２】
この名刺１において、表面の略中央の役職表示部２には本人の役職が記載されており、この役職表示部２の下部には本人の名前３が記載されている。表面左上の似顔絵部４には本人の似顔絵５が記載されており、この似顔絵部４の外周縁には複数の目打ち（ミシン目）の痕を模したギザギザ模様６が施されている。表面右上の郵便番号表示部７は、郵便番号記載用の四角枠が複数描かれており、この四角枠内に本人の勤務先の住所地の郵便番号８が記載されている。そして、この郵便番号表示部７の下部には本人の勤務先の住所９と勤務先１０が記載されている。このように本実施の形態の名刺１によれば、上記のような構成で名刺表面の表示がなされており、一見して切手が貼付されて投函される葉書の外観を呈しており、名刺を受け取った者に非常に強い印象を与えることができる。
【００２３】
さらに上記似顔絵表示部４の下部には、資格表示部１１が設けられ、本人の持つ各種の資格の名称（例えば、一級建築士、姓名鑑定士など）が記載されている。また表面下部には、本人の勤務先の連絡先事項１２（電話番号、ＦＡＸやホームページのＵＲＬコード、及びメールアドレスなど）が記載されている。
【００２４】
以上を総合すると、本実施の形態の名刺１によれば、本人の似顔絵を切手に模して貼付し投函された葉書のような外観を呈し、名刺を受け取る者に強烈な印象を与えることができる。
【産業上の利用可能性】
【００２５】
本考案によれば、ビジネスで使用するうえで相手に極めて効果的にな印象を与える名刺を提供することができる。
【符号の説明】
【００２６】
１  名刺
２  役職表示部
３  本人の名前
４  似顔絵部
５  本人の似顔絵
６  ギザギザ模様
７  郵便番号表示部
８  郵便番号
９  住所
１０  勤務先
１１  資格表示部
１２  連絡先事項
【図１】
0003187968.tif 000003
【手続補正書】
【提出日】平成25年9月27日(2013.9.27)
【手続補正１】
【補正対象書類名】実用新案登録請求の範囲
【補正対象項目名】全文
【補正方法】変更
【補正の内容】
【実用新案登録請求の範囲】
【請求項１】
切手を貼付して投函される葉書の外観を呈する名刺であって、表面の略中央の役職表示部には本人の役職が記載され、表面左上の似顔絵表示部には本人の似顔絵が記載され、表面右上の郵便番号表示部には本人の勤務先等の住所地の郵便番号が記載されることを特徴とする名刺。
【請求項２】
前記似顔絵表示部の外周縁には、目打ちの痕を模したギザギザ模様が施されている、請求項１に記載の名刺。
【請求項３】
前記似顔絵表示部の下部には、資格表示部がさらに設けられ、資格の名称が記載される、請求項１又は２に記載の名刺。